(57)【特許請求の範囲】
【請求項１】
一側面に電線を収容可能な開口部が設けられ内部に前記電線が配索されるプロテクタ本体部と、このプロテクタ本体部の一端側に配置され前記電線の端部に接続されるコネクタと、前記プロテクタ本体部の開口部側に組付けられ前記プロテクタ本体部を閉塞するプロテクタカバー部とを備えたプロテクタであって、
前記コネクタは、前記電線側から前記プロテクタ本体部の外方に向けて延設され相手コネクタが嵌合される嵌合部が設けられ、
前記プロテクタ本体部には、一端から前記コネクタと前記相手コネクタとの嵌合方向に延設され前記電線を前記プロテクタ本体部と前記プロテクタカバー部との間に収容した状態で前記コネクタの嵌合部を前記プロテクタカバー部から露出して固定させる固定部が設けられ、
前記コネクタは、前記嵌合部に一体に設けられたクリップ部材と、前記プロテクタ本体部の固定部に設けられ前記クリップ部材が挿入して係合される穴部とを介して前記固定部に固定されることを特徴とするプロテクタ。
【請求項２】
請求項１記載のプロテクタであって、
前記クリップ部材と前記穴部とは、前記プロテクタ本体部と前記プロテクタカバー部との組付方向と直交する方向で係合されることを特徴とするプロテクタ。
【発明の詳細な説明】
【技術分野】
【０００１】
本発明は、車両に適用されるプロテクタに関する。詳細には、内部に電線が配索され、電線の端部に接続されたコネクタが固定されるプロテクタに関する。
【背景技術】
【０００２】
従来、プロテクタとしては、一側面に電線を収容可能な開口部が設けられ内部に電線が配索されるプロテクタ本体部と、このプロテクタ本体部の一端側に配置され電線の端部に接続されるコネクタとを備えたものが知られている（例えば、特許文献１参照）。
【０００３】
このプロテクタでは、プロテクタ本体部が、第１プロテクタ本体部と、この第１プロテクタ本体部の端部に第１ヒンジ部を介して連結された第２プロテクタ本体部と、この第２プロテクタ本体部の側部に第２ヒンジ部を介して連結されたカバー部とを備え、カバー部の内側面にコネクタを固定するコネクタ固定部が設けられている。
【０００４】
このようにプロテクタを構成することにより、第１プロテクタ本体部と第２プロテクタ本体部とカバー部とを平坦状態とし、第１プロテクタ本体部に電線を収容し、カバー部にコネクタを固定し、電線の端部にコネクタを接続することができる。
【先行技術文献】
【特許文献】
【０００５】
【特許文献１】特開２００２−２１８６２５号公報
【発明の概要】
【発明が解決しようとする課題】
【０００６】
しかしながら、上記特許文献１のようなプロテクタでは、プロテクタ本体部を開いた状態で、電線とコネクタとを接続させているので、電線にコネクタに接続できるための余長を設ける必要があり、この電線の余長部分がプロテクタ本体部を組み立てる際に、カバー部などに噛み込む恐れがあった。
【０００７】
また、仮に、電線とコネクタとを接続させた状態で、プロテクタ本体部に電線とコネクタとを収容させたとしても、カバー部などが折り曲がるための余長が電線に必要であり、同様に、電線の余長部分がカバー部などに噛み込む恐れがあり、組付性が低下していた。
【０００８】
さらに、プロテクタ本体部を組み立てた状態では、コネクタがプロテクタ本体部の外壁によって覆われてしまうので、コネクタと相手コネクタとの嵌合作業を目視し難く、組付性が低下していた。
【０００９】
また、プロテクタ本体部に対するコネクタの固定は、プロテクタ本体部が開いている状態でしか行うことができので、プロテクタを車体などに配置させる前の状態までプロテクタ本体部を開かなければならず、プロテクタの取り扱いに制限があり、電線の配索の自由度がなく、組付性が低下していた。
【００１０】
そこで、この発明は、組付性を向上することができるプロテクタの提供を目的としている。
【課題を解決するための手段】
【００１１】
請求項１記載の発明は、一側面に電線を収容可能な開口部が設けられ内部に前記電線が配索されるプロテクタ本体部と、このプロテクタ本体部の一端側に配置され前記電線の端部に接続されるコネクタと、前記プロテクタ本体部の開口部側に組付けられ前記プロテクタ本体部を閉塞するプロテクタカバー部とを備えたプロテクタであって、前記コネクタは、前記電線側から前記プロテクタ本体部の外方に向けて延設され相手コネクタが嵌合される嵌合部が設けられ、前記プロテクタ本体部には、一端から前記コネクタと前記相手コネクタとの嵌合方向に延設され前記電線を前記プロテクタ本体部と前記プロテクタカバー部との間に収容した状態で前記コネクタの嵌合部を前記プロテクタカバー部から露出して固定させる固定部が設けられ、前記コネクタは、前記嵌合部に一体に設けられたクリップ部材と、前記プロテクタ本体部の固定部に設けられ前記クリップ部材が挿入して係合される穴部とを介して前記固定部に固定されることを特徴とする。
【００１２】
このプロテクタでは、プロテクタ本体部に、一端からコネクタと相手コネクタとの嵌合方向に延設されコネクタの嵌合部をプロテクタカバー部から露出して固定させる固定部が設けられているので、電線に余長部分を設けなくても、コネクタを固定部に固定することができ、プロテクタカバー部の組付時に電線の余長部分が噛み込むことがない。
【００１３】
また、コネクタの嵌合部は、プロテクタカバー部から露出されているので、コネクタがプロテクタ本体部やプロテクタカバー部によって覆われることがなく、コネクタと相手コネクタとの嵌合作業を目視し易くすることができる。
【００１４】
さらに、プロテクタ本体部の固定部は、プロテクタカバー部から露出されているので、プロテクタカバー部の組付けの有無に関わらず、コネクタを固定部に固定させることができ、電線の配索状況に合わせてプロテクタを取り扱うことができ、電線の配索の自由度を向上することができる。
【００１５】
従って、このようなプロテクタでは、プロテクタカバー部の組付時における電線の噛み込みを防止でき、コネクタと相手コネクタとの嵌合作業を行い易く、電線の配索の自由度を向上することができるので、組付性を向上することができる。
【００１７】
このプロテクタでは、コネクタが、嵌合部に一体に設けられたクリップ部材と、プロテクタ本体部の固定部に設けられクリップ部材が挿入して係合される穴部とを介して固定部に固定されるので、複雑な固定構造を用いることなく、容易にコネクタを固定部に固定することができる。
【００１８】
請求項２記載の発明は、請求項１記載のプロテクタであって、前記クリップ部材と前記穴部とは、前記プロテクタ本体部と前記プロテクタカバー部との組付方向と直交する方向で係合されることを特徴とする。
【００１９】
このプロテクタでは、クリップ部材と穴部とが、プロテクタ本体部とプロテクタカバー部との組付方向と直交する方向で係合されるので、コネクタの固定部に対する固定時にプロテクタ本体部から電線が浮き上がることを防止することができる。
【発明の効果】
【００２０】
本発明によれば、組付性を向上することができるプロテクタを提供することができるという効果を奏する。
【図面の簡単な説明】
【００２１】
【図１】本発明の実施の形態に係るプロテクタのプロテクタカバー部を取り外したときの上面図である。
【図２】本発明の実施の形態に係るプロテクタのプロテクタカバー部を組付けるときの側面図である。
【図３】本発明の実施の形態に係るプロテクタの側面図である。
【図４】本発明の実施の形態に係るプロテクタの要部拡大斜視図である。
【図５】本発明の実施の形態に係るプロテクタの要部拡大斜視図である。
【図６】本発明の実施の形態に係るプロテクタのプロテクタカバー部を取り外した状態でコネクタを固定部に固定するときの要部拡大斜視図である。
【図７】本発明の実施の形態に係るプロテクタのプロテクタカバー部を組付けた状態でコネクタを固定部に固定するときの要部拡大斜視図である。
【発明を実施するための形態】
【００２２】
図１〜図７を用いて本発明の実施の形態に係るプロテクタについて説明する。
【００２３】
本実施の形態に係るプロテクタ１は、一側面に電線３を収容可能な開口部５が設けられ内部に電線３が配索されるプロテクタ本体部７と、このプロテクタ本体部７の一端側に配置され電線３の端部に接続されるコネクタ９と、プロテクタ本体部７の開口部５側に組付けられプロテクタ本体部７を閉塞するプロテクタカバー部１１とを備えている。
【００２４】
また、コネクタ９は、電線３側からプロテクタ本体部７の外方に向けて延設され相手コネクタ１３が嵌合される嵌合部１５が設けられている。
【００２５】
そして、プロテクタ本体部７には、一端からコネクタ９と相手コネクタ１３との嵌合方向に延設されコネクタ９の嵌合部１５をプロテクタカバー部１１から露出して固定させる固定部１７が設けられている。
【００２６】
また、コネクタ９は、嵌合部１５に一体に設けられたクリップ部材１９と、プロテクタ本体部７の固定部１７に設けられクリップ部材１９が挿入して係合される穴部２１とを介して固定部１７に固定される。
【００２７】
さらに、クリップ部材１９と穴部２１とは、プロテクタ本体部７とプロテクタカバー部１１との組付方向と直交する方向で係合される。
【００２８】
図１〜図７に示すように、電線３は、内部に複数の芯線（不図示）を束ねて構成され、例えば、電源と機器との間、或いは機器間を電気的に接続している。この電線３は、複数の電線を組み合わせたワイヤーハーネスを構成して車体に配索され、端末部にコネクタ９が設けられている。
【００２９】
このようなワイヤハーネスを構成する電線３は、プロテクタ本体部７の内部に配索されて収容され、端末部に設けられたコネクタ９がプロテクタ本体部７の一端側に固定される。
【００３０】
プロテクタ本体部７は、合成樹脂などの絶縁性材料からなり、一側面に電線３を収容可能な開口部５を有するように断面凹状に形成されると共に、内部に電線３を屈曲して配索できるようにＬ字状に屈曲されて電線３の長さ方向に縦長に形成されている。
【００３１】
このプロテクタ本体部７は、開口部５から電線３を内部に収容して配索した状態で、車体取付部２３を介して車体に固定され、車体に対するワイヤーハーネスの配索形状を保持すると共に、電線３と周辺部材との干渉を防止する。このようなプロテクタ本体部７の一端側には、コネクタ９が配置される。
【００３２】
コネクタ９は、合成樹脂などの絶縁性材料からなり、電線３の端末部に電気的に接続された端子（不図示）を収容する端子収容部２５と、この端子収容部２５から連続する一部材でプロテクタ本体部７の一端側から外方に向けて延設された嵌合部１５とを有している。
【００３３】
このコネクタ９は、端子収容部２５内に電線３に接続された端子を収容した状態で、電線３を開口部５からプロテクタ本体部７内に収容して配索することにより、プロテクタ本体部７の一端側に配置される。
【００３４】
このプロテクタ本体部７の一端側に配置されたコネクタ９には、車体に配索された相手電線２７の端末部に電気的に接続された相手端子（不図示）を収容する相手コネクタ１３が嵌合部１５に嵌合され、端子と相手端子とが電気的に接続される。
【００３５】
このようなコネクタ９の嵌合部１５は、プロテクタ本体部７の開口部５側に組付けられるプロテクタカバー部１１から露出するように配置されている。
【００３６】
プロテクタカバー部１１は、合成樹脂などの絶縁性材料からなり、薄板状でプロテクタ本体部７の開口部５と同様な形状に形成され、プロテクタ本体部７の開口部５側に複数の係止部２９を介して組付けられ、プロテクタ本体部７の開口部５を閉塞する。
【００３７】
このプロテクタカバー部１１をプロテクタ本体部７に組付けた状態では、コネクタ９の嵌合部１５がプロテクタ本体部７やプロテクタカバー部１１から露出しているが、コネクタ９の端子収容部２５はプロテクタ本体部７やプロテクタカバー部１１に覆われている。
【００３８】
このため、プロテクタカバー部１１をプロテクタ本体部７に組付けることにより、コネクタ９の端子収容部２５や電線３の端末部が外部に露出することがなく、電線３と端子との接続部などに直接、水や埃などが侵入することを防止することができる。
【００３９】
一方、コネクタ９の嵌合部１５は、プロテクタカバー部１１をプロテクタ本体部７に組付けた状態で、外部に露出されているので、相手コネクタ１３との嵌合を目視し易く、嵌合作業性を向上することができる。このコネクタ９の嵌合部１５は、プロテクタ本体部７の固定部１７に固定されている。
【００４０】
固定部１７は、プロテクタ本体部７の一端からコネクタ９と相手コネクタ１３との嵌合方向に向けてプロテクタカバー部１１から露出するように延設された壁部となっている。この固定部１７は、コネクタ９の嵌合部１５の側面に位置され、コネクタ９の嵌合部１５を固定する。
【００４１】
詳細には、コネクタ９の嵌合部１５にはクリップ部材１９が一体に固定され、固定部１７には素穴からなる固定部１７を貫通する穴部２１が設けられ、クリップ部材１９を穴部２１に挿入して係合させることにより、コネクタ９がプロテクタ本体部７に固定される。
【００４２】
このようにクリップ部材１９と穴部２１との係合によってコネクタ９を固定することにより、ナットやボルトによる固定手段、或いはロックアームやロック突起による固定手段などのように、周辺に作業スペースを必要としたり、複雑な成形を施したりする必要がなく、簡易な構造でコネクタ９を固定することができる。
【００４３】
加えて、クリップ部材１９と穴部２１との係合による固定では、電線３に余長部分を設ける必要がなく、プロテクタ本体部７にプロテクタカバー部１１を組付ける際に、電線３がプロテクタカバー部１１に噛み込まれることを防止することができる。
【００４４】
一方、クリップ部材１９と穴部２１との係合方向は、プロテクタ本体部７とプロテクタカバー部１１との組付方向と直交する方向に設定されている。詳細には、プロテクタ本体部７とプロテクタカバー部１１との組付方向が縦方向であるのに対して、クリップ部材１９と穴部２１との係合方向は横方向となっている。
【００４５】
このようにクリップ部材１９と穴部２１との係合方向を設定することにより、図６，図７に示すように、プロテクタカバー部１１がプロテクタ本体部７に組付けられていても、いなくても、コネクタ９をプロテクタ本体部７に固定させることができる。
【００４６】
加えて、このようなクリップ部材１９と穴部２１との係合方向では、クリップ部材１９と穴部２１とを係合させる際に、電線３がプロテクタ本体部７の開口部５側に向けて動くことがなく、電線３のプロテクタ本体部７からの浮き上がりを防止でき、電線３、すなわちワイヤーハーネスの配索形状に影響を与えることがない。
【００４７】
このようなプロテクタ１では、プロテクタ本体部７に、一端からコネクタ９と相手コネクタ１３との嵌合方向に延設されコネクタ９の嵌合部１５をプロテクタカバー部１１から露出して固定させる固定部１７が設けられているので、電線３に余長部分を設けなくても、コネクタ９を固定部１７に固定することができ、プロテクタカバー部１１の組付時に電線３の余長部分が噛み込むことがない。
【００４８】
また、コネクタ９の嵌合部１５は、プロテクタカバー部１１から露出されているので、コネクタ９がプロテクタ本体部７やプロテクタカバー部１１によって覆われることがなく、コネクタ９と相手コネクタ１３との嵌合作業を目視し易くすることができる。
【００４９】
さらに、プロテクタ本体部７の固定部１７は、プロテクタカバー部１１から露出されているので、プロテクタカバー部１１の組付けの有無に関わらず、コネクタ９を固定部１７に固定させることができ、電線３の配索状況に合わせてプロテクタ１を取り扱うことができ、電線３の配索の自由度を向上することができる。
【００５０】
従って、このようなプロテクタ１では、プロテクタカバー部１１の組付時における電線３の噛み込みを防止でき、コネクタ９と相手コネクタ１３との嵌合作業を行い易く、電線３の配索の自由度を向上することができるので、組付性を向上することができる。
【００５１】
また、コネクタ９は、嵌合部１５に一体に設けられたクリップ部材１９と、プロテクタ本体部７の固定部１７に設けられクリップ部材１９が挿入して係合される穴部２１とを介して固定部１７に固定されるので、複雑な固定構造を用いることなく、容易にコネクタ９を固定部１７に固定することができる。
【００５２】
さらに、クリップ部材１９と穴部２１とは、プロテクタ本体部７とプロテクタカバー部１１との組付方向と直交する方向で係合されるので、コネクタ９の固定部１７に対する固定時にプロテクタ本体部７から電線３が浮き上がることを防止することができる。
【００５３】
なお、本実施の形態に係るプロテクタでは、電線の端末部にコネクタを接続した状態で、プロテクタ本体部に収容させているが、これに限らず、電線をプロテクタ本体部に収容させた後に電線の端末部にコネクタを接続してもよい。
【００５４】
この場合であっても、コネクタの固定部は、プロテクタ本体部の一端から外方に向けて延設されているので、電線に余長部分を設けてなくても、コネクタに端子を収容することができ、コネクタを固定部に固定することができる。
【符号の説明】
【００５５】
１…プロテクタ
３…電線
５…開口部
７…プロテクタ本体部
９…コネクタ
１１…プロテクタカバー部
１３…相手コネクタ
１５…嵌合部
１７…固定部
１９…クリップ部材
２１…穴部
【図１】
0006335755.tif 000002
【図２】
0006335755.tif 000003
【図３】
0006335755.tif 000004
【図４】
0006335755.tif 000005
【図５】
0006335755.tif 000006
【図６】
0006335755.tif 000007
【図７】
0006335755.tif 000008